(57)【要約】【課題】移動通信システムにおいて、ユーザ装置のバンド分散を行うための技術を提供する。【解決手段】移動通信システムにおいて基地局と通信を行うユーザ装置を、セルサーチを行うことにより、同一優先度の複数の周波数を検出する検出手段と、前記複数の周波数の中から、品質以外の条件に基づいて、前記ユーザ装置が在圏すべきセルの周波数を選択する選択手段と、を備えるように構成する。【選択図】図７
2015142371.tif 000002
【特許請求の範囲】
【請求項１】
移動通信システムにおいて基地局と通信を行うユーザ装置であって、
セルサーチを行うことにより、同一優先度の複数の周波数を検出する検出手段と、
前記複数の周波数の中から、品質以外の条件に基づいて、前記ユーザ装置が在圏すべきセルの周波数を選択する選択手段と、
を備えることを特徴とするユーザ装置。
【請求項２】
前記選択手段は、前記ユーザ装置の識別情報と前記複数の周波数の数とに基づいて、前記ユーザ装置が在圏すべきセルの周波数を選択する
ことを特徴とする請求項１に記載のユーザ装置。
【請求項３】
前記選択手段は、前記ユーザ装置の能力、又はアクセスクラスに基づいて、前記ユーザ装置が在圏すべきセルの周波数を選択する
ことを特徴とする請求項１に記載のユーザ装置。
【請求項４】
移動通信システムにおいて基地局と通信を行うユーザ装置であって、
前記基地局から、周波数毎の優先度を受信する受信手段と、
前記ユーザ装置が発信を行う際に、当該発信の種別に対応した優先度に基づく周波数の順番でセルサーチを行い、セルサーチにより検出された所定の品質条件を満たす周波数のセルに前記ユーザ装置を在圏させる在圏制御手段と
を備えることを特徴とするユーザ装置。
【請求項５】
前記在圏制御手段は、所定の品質条件を満たす同一優先度の複数の周波数を検出した場合において、品質以外の条件に基づいて、前記ユーザ装置が在圏すべきセルの周波数を選択する
ことを特徴とする請求項４に記載のユーザ装置。
【請求項６】
移動通信システムにおいて基地局と通信を行うユーザ装置であって、
前記基地局に接続要求を送信し、当該基地局から当該接続要求に対する応答を受信する接続処理手段と、
前記接続処理手段により受信した前記応答に所定に情報が含まれている場合に、前記ユーザ装置が在圏しているセルの周波数と異なる周波数に対するセルサーチを行い、セルサーチにより検出された所定の品質条件を満たす周波数のセルに前記ユーザ装置を在圏させる在圏制御手段と
を備えることを特徴とするユーザ装置。
【請求項７】
前記応答は、ランダムアクセス手順におけるランダムアクセスレスポンスであり、前記所定の情報は、バックオフタイマが無限大の値であることを示す情報である
ことを特徴とする請求項６に記載のユーザ装置。
【請求項８】
移動通信システムにおいてユーザ装置と通信を行う基地局であって、
前記基地局が形成するセルにおける負荷を判定する負荷判定手段と、
前記セルに在圏する前記ユーザ装置から接続要求を受信したときに、前記負荷判定手段により前記セルの負荷が所定の閾値以上であると判定された場合に、前記接続要求に対する応答の中に、前記ユーザ装置による前記セルへの接続を拒否するための所定の情報を含め、当該所定の情報を含む応答を前記ユーザ装置に送信する接続処理手段と
を備えることを特徴とする基地局。
【請求項９】
前記応答は、ランダムアクセス手順におけるランダムアクセスレスポンスであり、前記所定の情報は、バックオフタイマが無限大の値であることを示す情報である
ことを特徴とする請求項８に記載の基地局。
【請求項１０】
移動通信システムにおいて基地局と通信を行うユーザ装置が実行する周波数選択方法であって、
セルサーチを行うことにより、同一優先度の複数の周波数を検出する検出ステップと、
前記複数の周波数の中から、品質以外の条件に基づいて、前記ユーザ装置が在圏すべきセルの周波数を選択する選択ステップと、
を備えることを特徴とする周波数選択方法。
【発明の詳細な説明】
【技術分野】
【０００１】
本発明は、移動通信システムにおいてユーザ装置が在圏するセルを選択する技術に関連するものである。
【背景技術】
【０００２】
ＬＴＥ（ＬＴＥ−Ａｄｖａｎｃｅｄを含む）では、図１に示すように、ユーザ装置ＵＥをＲＲＣ  ｃｏｎｎｅｃｔｅｄ状態とＩＤＬＥ状態の２つの状態で管理している。ＲＲＣ  ｃｏｎｎｅｃｔｅｄ状態は、ＲＲＣで接続が確立している状態であり、ユーザ装置ＵＥは、ユーザデータの送受信を行うことが可能な状態である。データを持つユーザ装置ＵＥは、遅延無くデータの送受信を行うため、ＲＲＣ  ｃｏｎｎｅｃｔｅｄ状態を保つことが望ましい。
【０００３】
一方、ＩＤＬＥ状態は、ＲＲＣで接続が確立していない状態であり、ユーザ装置ＵＥがユーザデータの送受信を行う際には、まずＮＷとの接続を確立する必要がある。データを持たないユーザ装置ＵＥは、バッテリーセービングやリソース観点から、ＩＤＬＥ状態でいることが望ましい。
【先行技術文献】
【非特許文献】
【０００４】
【非特許文献１】３ＧＰＰ  ＴＳ  ３６．３０４  Ｖ１１．６．０（２０１３−１２）
【発明の概要】
【発明が解決しようとする課題】
【０００５】
上記のように、データを持たないユーザ装置ＵＥはＩＤＬＥ状態でいることが望ましいが、現状のＬＴＥシステムにおいては、ＩＤＬＥ状態のユーザ装置ＵＥはベストセル（最も品質のよいセル）に在圏するため、発信時には当該ベストセルへ接続することになる。
【０００６】
接続を行うユーザ装置ＵＥが特定のバンドのセルに集中してしまうと、当該セルが輻輳する可能性があり好ましくなく、複数のユーザ装置ＵＥを異なるバンドのセルに分散させることが望ましい。
【０００７】
ＩＤＬＥ状態のユーザ装置ＵＥをバンド分散させるには、ユーザ装置ＵＥをそれが在圏しているセルに一旦接続させ、その後、ハンドオーバ（ＨＯ）により分散させたいバンドへ遷移させる必要がある。すなわち、図２に示すように、ユーザ装置ＵＥが発信を行い（ステップ１）、ＩＤＬＥからＡｃｔｉｖｅ（Ｃｏｎｎｅｃｔｅｄ状態）に遷移し（ステップ２）、その後にバンド分散の決定を行い（ステップ３）、ＨＯを行う（ステップ４）。
【０００８】
しかし、このようなステップを踏む場合、Ｃｏｎｎｅｃｔｅｄ状態遷移手順、ＨＯ手順を挟むことによる遅延や、ＨＯ失敗に伴う遅延が発生するため、ユーザスループットが低下する可能性がある。
【０００９】
本発明は上記の点に鑑みてなされたものであり、移動通信システムにおいて、ユーザ装置のバンド分散を行うための技術を提供することを目的とする。
【課題を解決するための手段】
【００１０】
本発明の実施の形態によれば、移動通信システムにおいて基地局と通信を行うユーザ装置であって、
セルサーチを行うことにより、同一優先度の複数の周波数を検出する検出手段と、
前記複数の周波数の中から、品質以外の条件に基づいて、前記ユーザ装置が在圏すべきセルの周波数を選択する選択手段とを備えるユーザ装置が提供される。
【００１１】
また、本実施の形態によれば、移動通信システムにおいて基地局と通信を行うユーザ装置であって、
前記基地局から、周波数毎の優先度を受信する受信手段と、
前記ユーザ装置が発信を行う際に、当該発信の種別に対応した優先度に基づく周波数の順番でセルサーチを行い、セルサーチにより検出された所定の品質条件を満たす周波数のセルに前記ユーザ装置を在圏させる在圏制御手段とを備えるユーザ装置が提供される。
【００１２】
また、本実施の形態によれば、移動通信システムにおいて基地局と通信を行うユーザ装置であって、
前記基地局に接続要求を送信し、当該基地局から当該接続要求に対する応答を受信する接続処理手段と、
前記接続処理手段により受信した前記応答に所定に情報が含まれている場合に、前記ユーザ装置が在圏しているセルの周波数と異なる周波数に対するセルサーチを行い、セルサーチにより検出された所定の品質条件を満たす周波数のセルに前記ユーザ装置を在圏させる在圏制御手段とを備えるユーザ装置が提供される。
【００１３】
また、本実施の形態によれば、移動通信システムにおいてユーザ装置と通信を行う基地局であって、
前記基地局が形成するセルにおける負荷を判定する負荷判定手段と、
前記セルに在圏する前記ユーザ装置から接続要求を受信したときに、前記負荷判定手段により前記セルの負荷が所定の閾値以上であると判定された場合に、前記接続要求に対する応答の中に、前記ユーザ装置による前記セルへの接続を拒否するための所定の情報を含め、当該所定の情報を含む応答を前記ユーザ装置に送信する接続処理手段とを備える基地局が提供される。
【発明の効果】
【００１４】
本発明の実施の形態によれば、移動通信システムにおいて、ユーザ装置のバンド分散を行うための技術を提供することができる。
【図面の簡単な説明】
【００１５】
【図１】ＲＲＣのＩｄｌｅ状態とＣｏｎｎｅｃｔｅｄ状態間の遷移を示す図である。
【図２】現状の課題を説明するための図である。
【図３】本発明の実施の形態に係る移動通信システムの全体構成図である。
【図４】第１の実施の形態における処理のシーケンスを示す図である。
【図５】従来のセル再選択処理を説明するための図である。
【図６】第１の実施の形態におけるセル再選択処理を説明するための図である。
【図７】第１の実施の形態におけるユーザ装置ＵＥの機能構成図である。
【図８】第１の実施の形態におけるユーザ装置ＵＥの動作を示すフローチャートである。
【図９】第２の実施の形態におけるユーザ装置ＵＥの機能構成図である。
【図１０】第２の実施の形態におけるユーザ装置ＵＥの動作を示すシーケンス図である。
【図１１】第３の実施の形態における処理の流れを示すシーケンス図である。
【図１２】第３の実施の形態における基地局ｅＮＢの機能構成図である。
【図１３】第３の実施の形態における基地局ｅＮＢの動作を示すフローチャートである。
【図１４】第３の実施の形態におけるユーザ装置ＵＥの機能構成図である。
【図１５】第３の実施の形態におけるユーザ装置ＵＥの動作を示すシーケンス図である。
【図１６】バックオフタイマの値（Ｂａｃｋｏｆｆ  Ｐａｒａｍｅｔｅｒ  ｖａｌｕｅ）とインデックスとを対応付けたテーブルの例を示す図である。
【発明を実施するための形態】
【００１６】
以下、図面を参照して本発明の実施の形態を説明する。なお、以下で説明する実施の形態は一例に過ぎず、本発明が適用される実施の形態は、以下の実施の形態に限られるわけではない。例えば、以下の実施の形態では、本発明をＬＴＥの移動通信システムに適用する例を示しているが、本発明はＬＴＥ以外の移動通信システムに適用することも可能である。なお、「ＬＴＥ」は、ＬＴＥ−Ａｄｖａｎｃｅｄも含む意味で使用する。
【００１７】
なお、以下の説明では、ユーザ装置ＵＥがセルサーチを行う場合等において「周波数」を選択するというように、「周波数」という用語を主に用いる。これは「バンド」、「キャリア周波数」、等と言い換えることもできる。
【００１８】
（実施の形態の概要、全体システム構成）
本実施の形態では、ユーザ装置ＵＥをＣｏｎｎｅｃｔｅｄ状態に遷移させることなく、ユーザ装置ＵＥを様々な周波数のセルに在圏させることで、バンド分散を行うこととしている。すなわち、ＩＤＬＥ状態の複数のユーザ装置ＵＥを種々の周波数のセルに分散させることで、Ｃｏｎｎｅｃｔｅｄ状態遷移手順やハンドオーバ手順（＋ハンドオーバ失敗）に伴う遅延を回避することを可能とする。
【００１９】
図３に、本発明の実施の形態に係る移動通信システムの全体構成図を示す。この全体構成は、後述する第１〜第３の実施の形態に共通である。図３に示すように、本実施の形態の移動通信システムは、所定の周波数のキャリアによりセルを形成する基地局ｅＮＢと、セルに在圏して基地局ｅＮＢと通信するユーザ装置ＵＥを有する。
【００２０】
図３の例では、ユーザ装置ＵＥは、基地局ｅＮＢのサービングセルＡに在圏している。当該サービングセルＡは接続セル等と称してもよい。また、図３には、サービングセルＡに隣接する隣接セル（ｎｅｉｇｈｂｏｒｉｎｇ  ｃｅｌｌ）Ｂ、Ｃが示されている。これら隣接セルＢ、Ｃにおける周波数は、サービングセルＡと同じである場合もあるし、異なる場合もある。また。隣接セルＢ、ＣにおけるＲＡＴ（例：ＬＴＥ、３Ｇ等）は、サービングセルＡと同じである場合もあるし、異なる場合もある。なお、隣接セルを周辺セルと称してもよい。
【００２１】
以下、第１〜第３の実施の形態を説明する。第１の実施の形態では、各ユーザ装置ＵＥにおける周波数／ＲＡＴの選択において、各ユーザ装置ＵＥが選択する周波数／ＲＡＴが分散されるような制御を導入する。第２の実施の形態では、ユーザ装置ＵＥが発信を行う際に各ユーザ装置ＵＥが選択する周波数／ＲＡＴが分散されるような制御を導入する。第３の実施の形態では、ユーザ装置ＵＥに在圏セルで接続させるが、基地局ｅＮＢの制御により、ｃｏｎｎｅｃｔｅｄ状態に遷移させることなく、接続を一旦拒否し、セル再選択を行わせる。
【００２２】
なお、「周波数／ＲＡＴ」との記述は、あるＲＡＴのセルに在圏するユーザ装置ＵＥから見て、当該ＲＡＴ内の異なる周波数のセル、又は、当該ＲＡＴと異なるＲＡＴのセルを再選択するようなことを意図しているが、以下では、「周波数／ＲＡＴ」との記述のかわりに、単に「周波数」と記述する。このような記述で、あるＲＡＴ内での異周波数セルへの遷移、異なるＲＡＴへの遷移の両方の意味を含むものとする。以下、各実施の形態について説明する。
【００２３】
（第１の実施の形態）
ＬＴＥで規定された移動通信システムにおけるユーザ装置ＵＥは、電源投入時等に行われるセル選択（ｃｅｌｌ  ｓｅｌｅｃｔｉｏｎ）において、最も良い品質（受信強度が最も高い）の周波数のセルを選択し、在圏する。なお、セルに「在圏する」とは、例えば、当該セルの基地局ｅＮＢから同期信号を受信することで基地局ｅＮＢと同期をとり、システム情報（報知情報と呼んでもよい）等を受信（解釈）することが可能であることである。
【００２４】
本実施の形態では、あるセルに在圏しているユーザ装置ＵＥが、セル再選択（ｃｅｌｌ  ｒｅｓｅｌｅｃｔｉｏｎ）処理を行って、当該セルの周波数と異なる周波数のセルに在圏する動作に着目している。つまり、セル再選択には、在圏するセルと異なる周波数のセルを選択する他、在圏するセルと同一の周波数の他のセルを選択する場合等があるが、バンド分散という観点から、本実施の形態では、異なる周波数へのセル再選択に着目している。
【００２５】
図４を参照して本実施の形態における基本的な処理の流れを説明する。まず、図４の動作の前提として、ユーザ装置ＵＥは、セル選択時に選択した受信強度最大のベストセルに在圏しているとする。
【００２６】
まず、ユーザ装置ＵＥは、基地局ｅＮＢからユーザ装置ＵＥが在圏し得るセルの周波数（一般には複数）と、それぞれの周波数の優先度情報（ｐｒｉｏｒｉｔｙ）を含むシステム情報を受信する（ステップ１１）。
【００２７】
ステップ１２において、ユーザ装置ＵＥはセル再選択処理を行う。異周波数のセルへ遷移するセル再選択（ｉｎｔｅｒ−ｆｒｅｑｕｅｎｃｙ／ｉｎｔｅｒ−ＲＡＴ  ｃｅｌｌ  ｒｅｓｅｌｅｃｔｉｏｎ）に関し、ユーザ装置ＵＥは、システム情報で通知されている周波数のうち、在圏セルの周波数よりも高い優先度の周波数のセルをサーチして、当該周波数が所定の品質条件（受信強度が所定の閾値以上である等）を満たせば、当該新たなセルに在圏する動作を行うことが優先度情報に基づく基本的なセル再選択の動作であるが、現在の在圏セルの品質及び遷移先の品質により、現在の優先度と同じかそれよりも低い優先度のセルへのセル再選択を行う場合もある。
【００２８】
ステップ１２において、各周波数のキャリアを測定するセルサーチの結果、ユーザ装置ＵＥが在圏可能な隣接セルの周波数（接続セルの周波数と異なる周波数）が複数あり、それらが同じ優先度であるとする。在圏可能とは、所定の品質条件を満たすことである。
【００２９】
ここで、従来技術では、同じ優先度であれば、より品質の良い周波数を選択することになるが、それではバンド分散を図ることができない。そこで、第１の実施の形態では、ステップ１２において、上記複数の周波数の中から、ユーザ装置ＵＥの識別子に周波数の数（Ｎ）のｍｏｄをとった数をインデックスとして持つ周波数を選択し、当該周波数のセルに在圏する。
【００３０】
上記のユーザ装置ＵＥの識別子は、例えば電話番号、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）等であるが、これらに限られるわけではない。
【００３１】
また、周波数の数（Ｎ）は、ユーザ装置ＵＥが在圏可能な同じ優先度の周波数（接続セルの周波数とは異なる周波数）の数である。例えば、Ｎが２であるとすると、２つの周波数に０、１のインデックスを与える。そして、２のｍｏｄは０か１であるから、０か１の周波数が選択される。同じ優先度の周波数について、ユーザ装置ＵＥの識別子に基づき周波数の選択を行うことで、ユーザ装置ＵＥ間ではほぼ均等に周波数が選択されることになるからバンド分散を図ることができる。
【００３２】
第１の実施の形態におけるより具体的な制御例を以下に説明する。
【００３３】
例えば非特許文献１に記載されているように、ＬＴＥでは、（１）セル再選択における測定ルール（Ｍｅａｓｕｒｅｍｅｎｔ  ｒｕｌｅｓ  ｆｏｒ  ｃｅｌｌ  ｒｅ−ｓｅｌｅｃｔｉｏｎ）、（２）異周波数セル再選択基準（Ｅ−ＵＴＲＡＮ  Ｉｎｔｅｒ−ｆｒｅｑｕｅｎｃｙ  ａｎｄ  ｉｎｔｅｒ−ＲＡＴ  Ｃｅｌｌ  Ｒｅｓｅｌｅｃｔｉｏｎ  ｃｒｉｔｅｒｉａ）、（３）同周波数及び同優先度異周波数セル再選択（Ｉｎｔｒａ−ｆｒｅｑｕｅｎｃｙ  ａｎｄ  ｅｑｕａｌ  ｐｒｉｏｒｉｔｙ  ｉｎｔｅｒ−ｆｒｅｑｕｅｎｃｙ  Ｃｅｌｌ  Ｒｅｓｅｌｅｃｔｉｏｎ  ｃｒｉｔｅｒｉａ）について規定されており、従来技術であれば、これらの規定に従って動作が行われる。
【００３４】
上記（３）に関し、非特許文献１に記載のように、同一優先度の隣接セル（ｎｅｉｇｈｂｏｒ  ｃｅｌｌ）及び接続セル（ｓｅｒｖｉｎｇ  ｃｅｌｌ）のそれぞれで、図５に示すように、受信品質（ＲＳＲＰ）に基づく指標（Ｒｓ、Ｒｎ）でランク付けを行い、最高ランクのセルを選択することになる。また、隣接セル（Ｒｎ）に関しては、周波数毎に固有のオフセット（Ｑｏｆｆｓｅｔｆｒｅｑｕｅｎｃｙ）を設定することが可能になっている。
【００３５】
一方、本実施の形態では、（３）同周波数及び同優先度異周波数セル再選択における同優先度異周波数セル再選択の動作が、従来技術における動作と異なる。本実施の形態では、２種類の動作があるので、以下、それぞれ具体例１、具体例２として説明する。
【００３６】
＜具体例１＞
具体例１では、使用するパラメータについては図５に示すとおりであるが、ユーザ装置ＵＥ毎に、同一優先度の周波数（ｉｎｔｅｒ−ｆｒｅｑｕｅｎｃｙ）の中でどれか１つの周波数（キャリア）のみＱｏｆｆｓｅｔｆｒｅｑｕｅｎｃｙ＝０とし、それ以外の周波数については報知されているオフセット値を適用する。Ｑｏｆｆｓｅｔｆｒｅｑｕｅｎｃｙ＝０とすることにより、指標（Ｒｎ）が大きくなり、当該周波数のセルが選択されやすくなる。
【００３７】
そして、具体例１においては、前述した方法と同様に、ユーザ装置ＵＥの識別子（例：ＩＭＳＩ）に対し、同一優先度の周波数の数であるＮのｍｏｄをとった値に対応する周波数を選択する。例えば、同一優先度の周波数が２つあり、インデックスがｉ（ｉ＝０、１）であるとする。この場合、ＩＭＳＩ  ｍｏｄ  Ｎ＝０であればｉ＝０の周波数についてＱｏｆｆｓｅｔｆｒｅｑｕｅｎｃｙ＝０とし、ＩＭＳＩ  ｍｏｄ  Ｎ＝１であればｉ＝１の周波数についてＱｏｆｆｓｅｔｆｒｅｑｕｅｎｃｙ＝０とする。なお、どの周波数をどのｉにするかついては、システム情報（例：ＳＩＢ５）での隣接セルの周波数の通知情報における順番とすることができる。
【００３８】
＜具体例２＞
具体例２では、図６に示すように、Ｒｎの算出において、新規のパラメータＱｏｆｆｓｅｔ，ＵＥを導入する。Ｑｏｆｆｓｅｔ，ＵＥはシステム情報でユーザ装置ＵＥに通知される情報である。Ｑｏｆｆｓｅｔ，ＵＥが加えられた場合、Ｒｎが大きくなり、当該周波数が選択されやすくなる。
【００３９】
どの周波数に対して０以外のＱｏｆｆｓｅｔ，ＵＥを適用するかについては具体例１と同様である。つまり、ユーザ装置ＵＥの識別子（例：ＩＭＳＩ）に対し、同一優先度の周波数の数であるＮのｍｏｄをとった値に対応する周波数についてＱｏｆｆｓｅｔ，ＵＥを適用し、それ以外の周波数についてはＱｏｆｆｓｅｔ，ＵＥ＝０とする。例えば、同一優先度の周波数が２つあり、インデックスがｉ（ｉ＝０、１）であるとする。この場合、ＩＭＳＩ  ｍｏｄ  Ｎ＝０であればｉ＝０の周波数についてＱｏｆｆｓｅｔ，ＵＥを有効とし、ＩＭＳＩ  ｍｏｄ  Ｎ＝１であればｉ＝１の周波数についてＱｏｆｆｓｅｔ，ＵＥを有効とする。なお、どの周波数をどのｉにするかついては、システム情報（例：ＳＩＢ５）での隣接セルの周波数の通知情報における順番とすることができる。
【００４０】
＜第１の実施の形態におけるその他の例＞
これまでに説明した例は、セル再選択を対象としたが、ユーザ装置ＵＥの識別子に対するＮのｍｏｄをとった結果により、周波数を選択する手法は、セル在圏前に行うセル選択の際にも適用できる。
【００４１】
すなわち、従来技術では、セル選択の際には、品質のみを基準として最良の周波数のセルを選択するが、これではバンド分散が図れない。そこで、本実施の形態では、ユーザ装置ＵＥは、セル選択の際に、在圏可能な品質の周波数を複数検出した場合に（これらは同一優先度とみなすことができる）、その数をＮとし、ユーザ装置ＵＥの識別子に対するＮのｍｏｄをとった結果に対応する周波数のセルに在圏する。Ｎの順番付けは任意であり、例えば、検出した順番でもよいし、品質の順番でもよい。
【００４２】
また、これまでに説明したセル再選択の例では、ｍｏｄをとるといったように、均等に分散されるような選択をすることとしていたが、ユーザ装置ＵＥの能力やアクセスクラス、発信の理由（ｃａｕｓｅ）、種別等に応じて在圏する周波数を同一優先度の複数周波数の中から選択してもよい。また、既存の優先度情報に代わる情報として、能力／アクセスクラス等と、優先的に選択すべき周波数とを対応づけた情報をシステム情報で通知してもよい。
【００４３】
例えば、音声通信能力を持つユーザ装置ＵＥ（Ｖｏｉｃｅ  ｃａｐａｂｌｅ  ＵＥ）は、音声発信を行うことが予測されるため、コアバンドから周波数を優先的に選択するように制御を行うことができる。「コアバンド」は、予め定めらたコアとなるバンドであり、音声通信に適したバンドである。また、キャリアアグリゲーションの能力を持つユーザ装置ＵＥ（ＣＡ  ｃａｐａｂｌｅ  ＵＥ）はＣＡに対応しているバンドの周波数を選択するように制御することもできる。また、高優先のユーザ装置ＵＥ（例：Ｐｒｅｍｉｕｍ  Ｕｓｅｒ）は、セル再選択遅延を低減するためにコアバンドの周波数のセルを選択するように制御してもよい。これらの制御は、例えば、ユーザ装置ＵＥが、能力／アクセスクラス等と、優先的に選択すべき周波数とを対応づけた情報をシステム情報として受信し、当該情報と、自身の情報とに基づいて実行できる。
【００４４】
アクセスクラスは、アクセスの優先度に対応し、各ユーザ装置ＵＥは一般に０〜９の中のいずれかのアクセスクラスを持つ。１１〜１５は、より優先度の高いアクセスクラスであり、セキュリティサービス等の特別な用途のユーザ装置ＵＥに割り当てられる。
【００４５】
本実施の形態では、例えば、アクセスクラスが０〜９のユーザ装置ＵＥは、自分のアクセスクラスにＮのｍｏｄをとったインデックスの周波数のセルに在圏するという制御を行うことも可能である。Ｎはこれまでに説明したとおりであり、セル再選択においては同一優先度の在圏可能な周波数の数であり、セル選択では、品質に基づく在圏可能な周波数の数である。
【００４６】
また、アクセスクラスが１１〜１５のユーザ装置ＵＥを、コアバンドの周波数に在圏させる制御も可能である。
【００４７】
また、ユーザ装置ＵＥが、どのサービス（音声、インターネットアクセス等）での発信を行ったかの履歴を保持し、セル選択もしくはセル再選択において、当該履歴に基づいて周波数の選択を行ってもよい。例えば、音声通信を頻繁に行うユーザ装置ＵＥは、次回も音声である可能性があるため、コアバンドの周波数を優先的に選択してもよい。音声通信を頻繁に行うとは、例えば、所定期間前から現在までの発信の回数のうち、音声発信の回数の割合が所定閾値以上である場合である。
【００４８】
また、ユーザ装置ＵＥは、セル選択において、最後に通信を行った周波数のセルを選択してもよい。これは、通信中のバンド分散がうまくいっているのであれば、在圏しているユーザ装置ＵＥも分散されているであろうということに基づく。また、ユーザ装置ＵＥは、品質が所定以上となる周波数から、ランダムに１つの周波数を選択し、当該周波数のセルに在圏することとしてもよい。
【００４９】
＜装置構成、処理フロー例＞
図７に、第１の実施の形態におけるユーザ装置ＵＥの機能構成を示す。図７に示すとおり、本実施の形態に係るユーザ装置ＵＥは、ＵＬ信号送信部１０１、ＤＬ信号受信部１０２、制御情報格納部１０３、在圏制御部１０４を備える。なお、図７に示す機能構成は、本実施の形態に特に関係する構成を示すものであり、その基本機能としてＬＴＥに規定された動作を実行するための機能を含む。他の実施の形態においても同様である。
【００５０】
ＵＬ信号送信部１０１は、基地局ｅＮＢに無線信号を送信する。ＤＬ信号受信部１０２は、基地局ｅＮＢから無線信号を受信する。制御情報格納部１０３には、ＤＬ信号受信部１０２により基地局ｅＮＢから受信した無線信号から取得された制御情報（例：優先度情報）や、ユーザ装置ＵＥに予め設定された情報（例：識別子）が格納されている。
【００５１】
在圏制御部１０４は、これまでに説明したように、セルサーチを行って、周波数の選択等を行う。例えば、在圏制御部１０４は、セルサーチの結果（各周波数の品質等）と、制御情報格納部１０３に格納された優先度情報に基づき、在圏可能な同一優先度のＮ個の周波数を検知した場合に、ユーザ装置ＵＥの識別子に対してＮのｍｏｄをとった値に対応する周波数のセルを選択し、在圏する。
【００５２】
図８は、本実施の形態において、ユーザ装置ＵＥが実行する処理フローの例を示す図である。本例では、ユーザ装置ＵＥは、基地局ｅＮＢから、本実施の形態で説明したような、バンド分散のための在圏制御を行うか否かを指示するフラグを受信し、そのフラグがＯＮである場合に当該在圏制御を行うこととしている。
【００５３】
ユーザ装置ＵＥは、在圏セル（例：品質の最も良いベストセル）のシステム情報を読み（ステップ１０１）、在圏制御のフラグがＯＮであるかどうかをチェックする（ステップ１０２）。ＯＮでなければ、本実施の形態に係る在圏制御の処理は行わない。
【００５４】
在圏制御のフラグがＯＮである場合、ユーザ装置ＵＥは、在圏セルの周波数の品質等に基づき、他セルへの遷移のためのセルサーチが必要がどうかを判断する（ステップ１０３）。セルサーチが必要でなければ、現在のセルに在圏する（ステップ１０４）。
【００５５】
セルサーチが必要な場合、セルサーチ、周波数選択を行う（ステップ１０５）。ステップ１０５において、ユーザ装置ＵＥは、セルサーチにより、品質の良い、複数の同一優先度周波数を検出した場合、例えば前述したｍｏｄを使用した選択手法を用いて、１つの周波数を選択し、当該周波数のセルに在圏する。
【００５６】
なお、本実施の形態におけるユーザ装置の構成は、上記に限られず、本実施の形態で説明する処理を実行できる構成であればよい。例えば以下の構成でもよい。
【００５７】
すなわち、本実施の形態のユーザ装置は、移動通信システムにおいて基地局と通信を行うユーザ装置であって、セルサーチを行うことにより、同一優先度の複数の周波数を検出する検出手段と、前記複数の周波数の中から、品質以外の条件に基づいて、前記ユーザ装置が在圏すべきセルの周波数を選択する選択手段とを備える。
【００５８】
前記選択手段は、前記ユーザ装置の識別情報と前記複数の周波数の数とに基づいて、前記ユーザ装置が在圏すべきセルの周波数を選択することができる。前記選択手段は、前記ユーザ装置の能力、又はアクセスクラスに基づいて、前記ユーザ装置が在圏すべきセルの周波数を選択することもできる。このような構成により、品質以外の情報により、同一優先度の複数周波数から在圏すべき周波数を選択できる。
【００５９】
（第２の実施の形態）
第１の実施の形態では、発信を行わない状態におけるセル選択、セル再選択について説明した。一方、第２の実施の形態では、ユーザ装置ＵＥが発信する際に、品質以外の要素を考慮してセル再選択を行う。
【００６０】
本実施の形態においても第１の実施の形態と同様にシステム情報にて周波数毎に、優先度情報がユーザ装置ＵＥに通知される。
【００６１】
ただし、本実施の形態における優先度情報は、発信の種別や、アクセスクラス、サービス種別等と関連付けられている。
【００６２】
一例として、隣接セルにおいて、コアバンド内に周波数Ｆ１とＦ２が存在し、容量バンド内に周波数Ｆ３とＦ４が存在する場合、基地局ｅＮＢは、音声サービスに関しては、優先度の高い順に、Ｆ１→Ｆ２→Ｆ３→Ｆ４の順の優先度情報をユーザ装置ＵＥに通知する。コアバンドは容量バンドよりも低い周波数であり、カバレッジが広いため、カバレッジが必要な音声サービスの場合にはＦ１→Ｆ２→Ｆ３→Ｆ４の順とするのである。
【００６３】
また、例えば、広帯域の必要なベストエフォート（ＢＥ）サービス（Ｗｅｂアクセス等）の場合には、Ｆ３→Ｆ４→Ｆ１→Ｆ２の順とされてもよい。
【００６４】
そして、ユーザ装置ＵＥは、発信するときに、発信の種別（音声、ＢＥデータ等）を識別し、当該種別に対応する、システム情報で通知された優先度情報に従ってセル再選択を行う。ここで、例えば、ユーザ装置ＵＥは、音声発信の種別の識別に関し、電話の発信ボタンが押されたことを検知することで音声発信を識別してもよいし、ランダムアクセス手順で送信（又は受信）されるメッセージ内の情報で識別してもよいし、他の方法で識別してもよい。また、ベストエフォートサービスに関しては、インターネットにアクセスするためのｈｔｔｐデータ等が送信されることを検知したときに、ベストエフォートサービスの発信が行われることを検知してもよいし、ランダムアクセス手順で送信（又は受信）されるメッセージ内の情報で識別してもよいし、他の方法で識別してもよい。
【００６５】
ユーザ装置ＵＥは、優先度の高い周波数からサーチ（測定）を開始し、所定の品質が得られるまで、優先度に従って降順にサーチを行い、所定の品質が得られた周波数のセルに在圏し、発信を行う。
【００６６】
また、所定の品質を持つ、同一優先度の複数の周波数を検出した場合には、ランダムに選択してもよいし、第１の実施の形態と同様に、ユーザ装置ＵＥの識別子（電話番号、ＩＭＥＩ）に、検出した周波数の数（Ｎ）でｍｏｄをとった結果に対応する周波数を選択してもよい。更に、発信をトリガした時間（ＳＦＮ、ＴＴＩ等で表される）に、周波数の数（Ｎ）でｍｏｄをとった結果に対応する周波数を選択してもよい。
【００６７】
＜装置構成、処理フロー例＞
図９に、第２の実施の形態におけるユーザ装置ＵＥの機能構成を示す。図９に示すとおり、本実施の形態に係るユーザ装置ＵＥは、ＵＬ信号送信部２０１、ＤＬ信号受信部２０２、制御情報格納部２０３、発信処理部２０４、在圏制御部２０５を備える。
【００６８】
ＵＬ信号送信部２０１は、基地局ｅＮＢに無線信号を送信する。ＤＬ信号受信部２０２は、基地局ｅＮＢから無線信号を受信する。
【００６９】
制御情報格納部２０３は、ＤＬ信号受信部２０２により基地局ｅＮＢから受信した無線信号から取得された制御情報（例：システム情報）や、ユーザ装置ＵＥに予め設定された制御情報（例：識別子）が格納されている。
【００７０】
発信処理部２０４は、例えばユーザ操作に基づいて、音声、データ等の発信処理を行う。在圏制御部２０５は、発信処理部２０４により発信が行われることを検知した場合に、これまでに説明した制御方法に従って、セル再選択処理を行う。例えば、隣接セルの周波数Ｆ１、Ｆ２、Ｆ３、Ｆ４が存在し、音声サービスについて優先度の高い順にＦ１→Ｆ２→Ｆ３→Ｆ４の順の優先度情報が通知されているとする。在圏制御部２０５は、発信処理部２０４により、音声発信が行われることを検知すると、所定の品質以上の周波数が見つかるまで、Ｆ１→Ｆ２→Ｆ３→Ｆ４の順にサーチを行い、所定の品質以上の周波数のセルに在圏する。
【００７１】
図１０は、本実施の形態において、ユーザ装置ＵＥが実行する処理フローの例を示す図である。本例では、ユーザ装置ＵＥは、基地局ｅＮＢから、本実施の形態で説明したような、バンド分散のための在圏制御を行うか否かを指示するフラグを受信し、そのフラグがＯＮである場合に当該在圏制御を行うこととしている。
【００７２】
ユーザ装置ＵＥは、在圏セル（例：品質の最も良いベストセル）のシステム情報を読み（ステップ２０１）、在圏制御のフラグがＯＮであるかどうかをチェックする（ステップ２０２）。ＯＮでなければ、本実施の形態に係る在圏制御の処理は行わない。
【００７３】
在圏制御のフラグがＯＮである場合、ユーザ装置ＵＥは、発信があるかどうかをチェックし（ステップ２０３）、発信が検知された場合に、発信の種類等に対応した優先度情報に基づくセル再選択処理を行う（ステップ２０４）。ここで、優先度情報に基づきサーチを行ったが、所定の品質を満たす隣接セルの周波数が見つからなかった場合、在圏しているセルで発信する（ステップ２０５）。セル遷移する場合は、セル遷移後に発信を行う（ステップ２０６）。
【００７４】
なお、本実施の形態におけるユーザ装置の構成は、上記に限られず、本実施の形態で説明する処理を実行できる構成であればよい。例えば以下の構成でもよい。
【００７５】
すなわち、本実施の形態のユーザ装置は、移動通信システムにおいて基地局と通信を行うユーザ装置であって、前記基地局から、周波数毎の優先度を受信する受信手段と、前記ユーザ装置が発信を行う際に、当該発信の種別に対応した優先度に基づく周波数の順番でセルサーチを行い、セルサーチにより検出された所定の品質条件を満たす周波数のセルに前記ユーザ装置を在圏させる在圏制御手段とを備える。
【００７６】
前記在圏制御手段は、所定の品質条件を満たす同一優先度の複数の周波数を検出した場合において、品質以外の条件に基づいて、前記ユーザ装置が在圏すべきセルの周波数を選択することができる。このような構成により、ユーザの発信種別に適した周波数に在圏させるとともに、適切にバンド分散を図ることができる。
【００７７】
（第３の実施の形態）
次に第３の実施の形態を説明する。第３の実施の形態では、セル選択で在圏させるのは品質に基づくベストセルであり、従来通りに当該ベストセルで接続をさせるが、各セルの負荷状況に応じて緩く規制をかけることとする。
【００７８】
本実施の形態においても、ユーザ装置ＵＥは基地局ｅＮＢから周波数毎の優先度情報を受信し、保持している。
【００７９】
本実施の形態の全体の処理の流れを図１１のシーケンス図を参照して説明する。ユーザ装置ＵＥは基地局ｅＮＢと通信を行うために、接続要求（本例ではランダムアクセスプリアンブル）を基地局ｅＮＢに送信する（ステップ３０１）。
【００８０】
接続要求を受信した基地局ｅＮＢは、ユーザ装置ＵＥが在圏しているセルの負荷状況に基づいて、バンド分散が必要であるか否かを判定する（ステップ３０２）。例えば、負荷状況として、当該セルにおける接続ＵＥ数、ＤＲＸを行っているＵＥの比率、等を用いることができる。負荷状況を示す値が所定の閾値以上であれば、当該セルにはユーザ装置ＵＥが集中し過ぎていると判断し、バンド分散が必要であると判定する。
【００８１】
基地局ｅＮＢが、バンド分散要であると判断した場合、基地局ｅＮＢは、当該ユーザ装置ＵＥの当該セルへの接続を拒否する。本実施の形態では、応答（本例ではランダムアクセス応答）内のバックオフタイマを無限大（Ｉｎｆｉｎｉｔｙ）に設定し、応答を送信する（ステップ３０３）。バックオフタイマは、ユーザ装置ＵＥにおいて、ランダムアクセス手順に失敗した場合に、再度接続を試行するまでに待つ時間を示すタイマである。この値がＩｎｆｉｎｉｔｙである場合、ユーザ装置ＵＥは、当該セルへの接続を一旦諦めて、ランダムアクセス手順を中止して、所定の品質を満たす他の周波数で優先度の高い順に接続を試行する。他の周波数のセルは、接続に失敗したセルと同じ基地局ｅＮＢにより形成された他のセルである場合もあるし、隣接基地局ｅＮＢが形成するセルである場合もあるが、図１１の例では、隣接基地局ｅＮＢが形成するセルである例を示している。
【００８２】
図１１に示すように、Ｉｎｆｉｎｉｔｙを含む応答を受信したユーザ装置ＵＥは、他のセルのサーチを行い、当該セルに在圏し（ステップ３０４）、そのセルにおいて接続を試みる（ステップ３０５）。図１１のステップ３０４では、ステップ３０１で接続しようとしたセルの優先度が最も高く、次に接続しようとするセルの優先度がその次であることを想定している。
【００８３】
なお、ユーザ装置ＵＥは、ｉｎｆｉｎｉｔｙを通知されたとしても、特定のサービス（例：音声）による発信に係る接続の場合や、自身が高優先のユーザ装置ＵＥである場合には、ｉｎｆｉｎｉｔｙを通知してきたセルへの接続を再度試みても良い。ただし、これはｉｎｆｉｎｉｔｙを通知してきたセルが品質最良のベストセルである場合である。ベストセルでない場合は、セルサーチでベストセルを検出し、当該ベストセルへの在圏、及び接続を行ってもよい。
【００８４】
このように、どのサービスやＵＥ優先度に対して、Ｉｎｆｉｎｉｔｙに従わない制御を行うかは、基地局ｅＮＢからシステム情報にて通知されてもよいし、ランダムアクセス応答内の情報要素に含めて通知されてもよい。
【００８５】
図１１のステップ３０２において、基地局ｅＮＢがバンド分散不要であると判定した場合は、通常のランダムアクセス応答と同様に、バックオフタイマに有限値を設定した応答を返す。
【００８６】
（装置構成、処理フロー）
図１２に、本実施の形態における基地局ｅＮＢの機能構成図を示す。図１２に示すように、基地局ｅＮＢは、ＵＬ信号受信部３０１、ＤＬ信号送信部３０２、負荷判定部３０３、ＵＥ接続処理部３０４を有する。
【００８７】
ＵＬ信号受信部３０１は、ユーザ装置ＵＥから無線信号を受信する。ＤＬ信号送信部３０２は、ユーザ装置ＵＥに無線信号を送信する。負荷判定部３０３は、前述したように、セル毎の接続ＵＥ数等の負荷状況を示す値を取得、保持し、当該負荷状況を示す値と所定の閾値との比較により、バンド分散が必要であるか否かを判定し、バンド分散が必要である場合、その旨をＵＥ接続処理部３０４に通知する。
【００８８】
ＵＥ接続処理部３０４は、ユーザ装置ＵＥとの間の接続処理を行う機能部であり、あるセルに在圏するユーザ装置ＵＥから接続要求を受信したときに、負荷判定部３０３によりバンド分散が必要であるとの判定結果が得られた場合に、Ｉｎｆｉｎｉｙを格納した応答をユーザ装置ＵＥに返す動作を行う。
【００８９】
図１３は、本実施の形態における基地局ｅＮＢの動作を示すフローチャートである。基地局ｅＮＢのＵＥ接続処理部３０４がユーザ装置ＵＥから接続要求を受信する（ステップ４０１）。負荷判定部４０２が、バンド分散の要否を判定し（ステップ４０２）、バンド分散不要である場合は、ＵＥ接続処理部３０４は、バックオフタイマを有限値に設定した応答を送信する（ステップ４０３）。バンド分散が必要であれば、ＵＥ接続処理部３０４は、バックオフタイマを無限大に設定した応答を送信する（ステップ４０４）。
【００９０】
図１４に、第３の実施の形態におけるユーザ装置ＵＥの機能構成を示す。図１４に示すとおり、本実施の形態に係るユーザ装置ＵＥは、ＵＬ信号送信部４０１、ＤＬ信号受信部４０２、制御情報格納部４０３、接続処理部４０４、在圏制御部４０５を備える。
【００９１】
ＵＬ信号送信部４０１は、基地局ｅＮＢに無線信号を送信する。ＤＬ信号受信部４０２は、基地局ｅＮＢから無線信号を受信する。制御情報格納部４０３は、ＤＬ信号受信部４０２により基地局ｅＮＢから受信した無線信号から取得された制御情報（例：システム情報）や、ユーザ装置ＵＥに予め設定された情報（例：アクセスクラス、ＵＥ優先度等）が格納されている。
【００９２】
接続処理部４０４は、基地局ｅＮＢとの接続処理（例：ランダムアクセス手順等）を行う。在圏制御部４０５は、本実施の形態におけるセル再選択を行う機能部であり、接続処理部４０４により基地局ｅＮＢから受信した応答におけるバックオフタイマを調べ、Ｉｎｆｉｎｉｔｙであれば、優先度情報の基づくセル再選択を行い、セルの遷移を行う。有現値であれば、通常の接続手順を継続する。
【００９３】
図１５は、本実施の形態において、ユーザ装置ＵＥが実行する処理フローの例を示す図である。本例でも、ユーザ装置ＵＥは、基地局ｅＮＢから、本実施の形態で説明したような、バックオフタイマに基づく在圏制御を行うか否かを指示するフラグを受信し、そのフラグがＯＮである場合に当該在圏制御を行うこととしている。
【００９４】
ユーザ装置ＵＥは、在圏セル（例：品質の最も良いベストセル）のシステム情報を読み（ステップ５０１）、在圏制御のフラグがＯＮであるかどうかをチェックする（ステップ５０２）。ＯＮでなければ、本実施の形態に係る在圏制御の処理は行わない。
【００９５】
在圏制御のフラグがＯＮである場合、ユーザ装置ＵＥの在圏制御部４０５は、接続要求送信後に受信する応答に含まれるバックオフタイマが無限大か否かを調べる（ステップ５０３）。無限大である場合は、在圏セルと異なる周波数のセルサーチを行って、在圏可能な隣接セルにおける優先度の高い異周波数のセルに在圏し、接続を行う（ステップ５０４）。バックオフタイマが有限値である場合は、通常の接続手順を継続する（ステップ５０５）。
【００９６】
なお、バックオフタイマの値（Ｂａｃｋｏｆｆ  Ｐａｒａｍｅｔｅｒ  ｖａｌｕｅ）をインデックスに対応付け、インデックスを通知してもよい。その場合の対応付けテーブルの例を図１６に示す。図中のｖｏｉｃｅ  ｏｎｌｙは、音声通信のみに適用されることを示す。
【００９７】
なお、本実施の形態におけるユーザ装置の構成は、上記に限られず、本実施の形態で説明する処理を実行できる構成であればよい。例えば以下の構成でもよい。
【００９８】
すなわち、本実施の形態のユーザ装置は、移動通信システムにおいて基地局と通信を行うユーザ装置であって、前記基地局に接続要求を送信し、当該基地局から当該接続要求に対する応答を受信する接続処理手段と、前記接続処理手段により受信した前記応答に所定に情報が含まれている場合に、前記ユーザ装置が在圏しているセルの周波数と異なる周波数に対するセルサーチを行い、セルサーチにより検出された所定の品質条件を満たす周波数のセルに前記ユーザ装置を在圏させる在圏制御手段とを備える。
【００９９】
前記応答は、ランダムアクセス手順におけるランダムアクセスレスポンスであり、前記所定の情報は、バックオフタイマが無限大の値であることを示す情報である。このような構成により、バンド分散が実現される。
【０１００】
また、本実施の形態における基地局の構成は、上記に限られず、本実施の形態で説明する処理を実行できる構成であればよい。例えば以下の構成でもよい。
【０１０１】
すなわち、本実施の形態の基地局は、移動通信システムにおいてユーザ装置と通信を行う基地局であって、前記基地局が形成するセルにおける負荷を判定する負荷判定手段と、前記セルに在圏する前記ユーザ装置から接続要求を受信したときに、前記負荷判定手段により前記セルの負荷が所定の閾値以上であると判定された場合に、前記接続要求に対する応答の中に、前記ユーザ装置による前記セルへの接続を拒否するための所定の情報を含め、当該所定の情報を含む応答を前記ユーザ装置に送信する接続処理手段とを備える。前記応答は、ランダムアクセス手順におけるランダムアクセスレスポンスであり、前記所定の情報は、バックオフタイマが無限大の値であることを示す情報である。
【０１０２】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１０３】
ＵＥ  ユーザ装置
ｅＮＢ  基地局
１０１  ＵＬ信号送信部
１０２  ＤＬ信号受信部
１０３  制御情報格納部
１０４  在圏制御部
２０１  ＵＬ信号送信部
２０２  ＤＬ信号受信部
２０３  制御情報格納部
２０４  発信処理部
２０５  在圏制御部
３０１  ＵＬ信号受信部
３０２  ＤＬ信号送信部
３０３  負荷判定部
３０４  ＵＥ接続処理部
４０１  ＵＬ信号送信部
４０２  ＤＬ信号受信部
４０３  制御情報格納部
４０４  接続処理部
４０５  在圏制御部
【図１】
2015142371.tif 000003
【図２】
2015142371.tif 000004
【図３】
2015142371.tif 000005
【図４】
2015142371.tif 000006
【図５】
2015142371.tif 000007
【図６】
2015142371.tif 000008
【図７】
2015142371.tif 000009
【図８】
2015142371.tif 000010
【図９】
2015142371.tif 000011
【図１０】
2015142371.tif 000012
【図１１】
2015142371.tif 000013
【図１２】
2015142371.tif 000014
【図１３】
2015142371.tif 000015
【図１４】
2015142371.tif 000016
【図１５】
2015142371.tif 000017
【図１６】
2015142371.tif 000018